(57)【要約】【課題】作業者の安全を確保しつつ作業用足場を簡単に設置することのできる足場用ブラケットを提供する。【解決手段】足場板１を受ける水平支柱２と、水平支柱２の一端に上端部が連結された縦支柱４と、水平支柱２と縦支柱４とを斜めに結ぶ補強支柱５と、水平支柱２の縦支柱側端部上面に取り付けられた内側手摺支持柱取付用の受け部材９と、水平支柱２の遊端部上面に取り付けられた外側手摺支持柱取付用の受け部材１０とからなり、受け部材９、１０のうち、少なくとも内側手摺支持柱取付用の受け部材９が水平支柱２に対して着脱可能に形成されるようにする。【選択図】図１
0003205646.tif 000002
【実用新案登録請求の範囲】
【請求項１】
足場板を受ける水平支柱と、
前記水平支柱の一端に上端部が連結された縦支柱と、
前記水平支柱と前記縦支柱とを斜めに結ぶ補強支柱と、
前記水平支柱の前記縦支柱側端部上面に取り付けられた内側手摺支持柱取付用の受け部材と、
前記水平支柱の遊端部上面に取り付けられた外側手摺支持柱取付用の受け部材とからなり、
前記受け部材のうち、少なくとも前記内側手摺支持柱取付用の受け部材が前記水平支柱に対して着脱可能に形成されている足場用ブラケット。
【請求項２】
前記縦支柱が前記水平支柱に対して回動可能に連結され、前記補強支柱が前記縦支柱に対して連結位置変更可能に連結され、前記補強支柱と前記縦支柱との連結位置を変更することにより、前記縦支柱と前記水平支柱との角度が調整できるように形成されている請求項１に記載の足場用ブラケット。
【請求項３】
前記内側手摺支持柱取付用の受け部材の下面に下方へ向かって突出するネジ軸を備え、前記水平支柱に前記ネジ軸が挿通される取付孔が設けられ、当該取付孔に前記ネジ軸を挿通して下方からナットで締め付けることにより、前記受け部材を前記水平支柱に着脱可能に取り付けるようにした請求項１または２に記載の足場用ブラケット。
【考案の詳細な説明】
【技術分野】
【０００１】
本考案は、防砂ダム、堰堤、防潮堤、擁壁等のコンクリート構造物施工時に作業用足場を架設する際に用いられる足場用ブラケットに関する。
【背景技術】
【０００２】
従来、防砂ダム等のコンクリート構造物の施工時に設置される作業用足場として、例えば、特許文献１〜３に示すものが知られている。作業用足場は、多くの場合、足場用ブラケットを用いて型枠やコンクリート構造物の垂直な壁面や傾斜壁面に沿って架設され、フラットな足場板や手摺等が取り付けられる。
【先行技術文献】
【特許文献】
【０００３】
【特許文献１】特開平９−２９６６００号公報
【特許文献２】特開２００６−２４９８００号公報
【特許文献３】特開２００７−２４７３９７号公報
【考案の概要】
【考案が解決しようとする課題】
【０００４】
通常、作業用足場における手摺は、上記特許文献等に示すように、足場用ブラケットの水平支柱の外側に手摺支持柱を立てて、この手摺支持柱に手摺を取り付けて形成することにより、作業用足場から外側への転落を防止している。しかしながら、このような構成では、上記特許文献に示す構造のように作業用足場の内側が型枠やコンクリート構造物等によって塞がれている場合はよいが、例えば図５に示すような防砂ダムや堰堤等のかさ上げ工事において、作業用足場をコンクリート型枠Ｃの上端部分に設置する場合には、作業用足場の内側（コンクリート打設側）と外側の両方が開放されているため作業時の安全性に問題がある。
【０００５】
また、作業用足場が架設される防砂ダム等のコンクリート構造物の外壁面は、多くの場合、垂直面と傾斜面とからなり、傾斜面の傾斜角度は施工場所により異なっている。したがって、作業用足場に使用される足場用ブラケットについても、壁面角度に対応して取り付けられるようにすることが好ましい。
【０００６】
また、作業用足場はコンクリート構造物の完成後に解体され、次の工事の開始まで収納保管されるのが一般的である。したがって、作業用足場に用いられる足場用ブラケットは、手摺支持柱と簡単に分離可能で、かつ、搬送や収納時にはコンパクトに折り畳めるような構成が要求される。
【０００７】
そこで、本考案は、上記の課題を解決した足場用ブラケットを簡単な構成で提供することを目的とする。
【課題を解決するための手段】
【０００８】
上記課題を解決するために、本考案では次のような技術的手段を講じた。すなわち、本考案の足場用ブラケットは、足場板を受ける水平支柱と、前記水平支柱の一端に上端部が連結された縦支柱と、前記水平支柱と前記縦支柱とを斜めに結ぶ補強支柱と、前記水平支柱の前記縦支柱側端部上面に取り付けられた内側手摺支持柱取付用の受け部材と、前記水平支柱の遊端部上面に取り付けられた外側手摺支持柱取付用の受け部材とからなり、前記受け部材のうち、少なくとも前記内側手摺支持柱取付用の受け部材が前記水平支柱に対して着脱可能に形成されている構成とした。
【考案の効果】
【０００９】
本考案の足場用ブラケットは上記のごとく構成されているので、作業現場の状況に応じて内側手摺支持柱取付用の受け部材を取り付け、この受け部材並びに外側手摺支持柱取付用の受け部材にそれぞれ手摺支持柱を取り付けて、これらの手摺支持柱に手摺を取り付けることにより、作業用足場の内側と外側の両方に手摺を設けることができて、作業者の安全を確保することができる。また、内側手摺が不要であれば、内側手摺支持柱取付用の受け部材を水平支柱から取り外した状態で作業用足場を架設することができ、作業の効率化を図ることができる。
【００１０】
上記考案において、前記縦支柱が前記水平支柱に対して回動可能に連結され、前記補強支柱が前記縦支柱に対して連結位置変更可能に連結され、前記補強支柱と前記縦支柱との連結位置を変更することにより、前記縦支柱と前記水平支柱との角度が調整できるように形成されている構成とするのがよい。
これにより、防砂ダム等のコンクリート構造物の傾斜壁面の角度に合わせて水平支柱と縦支柱との角度を調整して組み付けることで、水平支柱の水平度を保った状態で傾斜壁面に足場用ブラケットを安定して取り付けることができる。また、水平支柱に対して縦支柱を略平行な姿勢となるまで回動することにより、足場用ブラケットをコンパクトに折り畳むことができ、搬送や収納に便利であるといった効果もある。
【００１１】
上記考案において、前記内側手摺支持柱取付用の受け部材の下面に下方へ向かって突出するネジ軸を備え、前記水平支柱に前記ネジ軸が挿通される取付孔が設けられ、当該取付孔に前記ネジ軸を挿通して下方からナットで締め付けることにより、前記受け部材を前記水平支柱に着脱可能に取り付けるようにするのがよい。
これにより、内側手摺支持柱取付用の受け部材を水平支柱に対して容易に着脱できるとともに、着脱機構を簡単な構成で形成することができる。
【図面の簡単な説明】
【００１２】
【図１】本考案に係る足場用ブラケットを示す斜視図。
【図２】図１における内側手摺支持柱取付用受け部材部分を示す拡大斜視図。
【図３】本考案に係る足場用ブラケットを示す側面図。
【図４】本考案に係る足場用ブラケットの収納状態を示す側面図。
【図５】本考案の一実施例である工事現場での使用態様を示す説明図。
【図６】本考案の他実施例である作業用足場架設時の態様を示す全体斜視図。
【図７】ワンタッチで着脱可能なピンの一例を示す構成図。
【考案を実施するための形態】
【００１３】
以下において、本考案の詳細を図１〜４に基づいて説明する。
本考案に係る足場用ブラケットＡは、フラットな足場板１を受ける水平支柱２と、水平支柱２の一端に上端部が枢軸３を介して連結された縦支柱４と、この縦支柱４の中間部と水平支柱２の中間部とを斜めに結ぶ補強支柱５とを備えている。水平支柱２、縦支柱４並びに補強支柱５は、例えば断面コの字状やチャンネル状、またはアングル状の金属型材で形成されている。
【００１４】
補強支柱５の上端は、水平支柱２に対して枢軸６により回動可能に連結されており、中間部と下端部にはピン挿通孔５ａ、５ｂ（図３、４参照）が設けられている。また、縦支柱４の側面には長さ方向に沿って一定の間隔をあけて複数の調整孔７が設けられており、何れかの調整孔７と補強支柱５の下端部のピン挿通孔５ａとに勾配調整用のピン８を着脱可能に挿入することによって縦支柱４と補強支柱５の下端とが連結されている。このピン８と調整孔７とによる連結位置を変更することにより、図３の仮想線で示すように水平支柱２と縦支柱４との角度が直角から内角側に調整できるように形成されている。
【００１５】
ここで、ワンタッチで着脱可能な勾配調整用のピン（バネ付きピン）８の構造の一例について図７を参照しつつ説明する。
ピン８は、ボルト８ａ、ナット８ｂ、回転板８ｃ、コイルバネ８ｄとにより構成される。ボルト８ａは、略同径でロッド状の雄ネジ８ｅと頭部８ｆとからなり、ピン挿通孔５ａや調整孔７を頭部８ｆが（回転板８ｃをボルト８ａの軸線方向に向けた状態で）貫通できる大きさの径にしてある。頭部８ｆにはボルト８ａの軸線方向に沿って割り溝８ｇが形成してあり、この割り溝８ｇの溝内に回転板８ｃが回転可能に軸支してある。回転板８ｃは少し偏心した位置で軸支されており、これにより回転板８ｃの自重によって長手側が鉛直下方方向に回転しやすくなるようにしてある。
雄ネジ８ｅの部分には、ナット８ｂが螺合状態で（圧接あるいは接着により）固定してあり、このナット８ｂがストッパとなるようにしてコイルバネ８ｄがボルト８ａの外周を巻回するように取り付けてある。
【００１６】
そして、ピン８を調整孔７等に挿入すると、調整孔７等を貫通した後に自重で鉛直下方方向に回転した回転板８ｃとコイルバネ８ｄとの間に縦支柱４と補強支柱５がコイルバネ８ｄの弾性力によって挟持されるようにしてある。
【００１７】
また、図４に示すように、縦支柱４を水平支柱２と略平行な姿勢になるように動かして、縦支柱４に設けられた複数の調整孔７のうち一番端の調整孔７と補強支柱５のピン挿通孔５ｂとにピン８を差し込むことにより、足場用ブラケットＡをコンパクトに折り畳んで収納することができる。
【００１８】
さらに、本考案の足場用ブラケットＡは、水平支柱２の縦支柱４連結側の上面に着脱自在に取り付けられた内側手摺支持柱取付用の受け部材９と、水平支柱２の遊端部上面に固定された外側手摺支持柱取付用の受け部材１０と、縦支柱４の外側面に設けられたフック１１とを備えている。フック１１は足場用ブラケットＡをコンクリート型枠等の固定部に引っ掛けて取り付けるためのものであって、ビス１１ａにより縦支柱４に対して着脱自在に取り付けられている。
【００１９】
手摺支持柱１５取付用の受け部材９、１０は、上面に向かって開口する筒体で形成されており、この開口部に手摺支持柱１５の下端を嵌め込みセットビス９ｂ、１０ｂで締め付けることで固定するようにしてある。これにより簡単に手摺支持柱１５を受け部材９、１０に取り付けることができる。また、内側手摺支持柱取付用の受け部材９の下面には、図１、２に示すように、下方に向かって突出するネジ軸９ａを備えており、このネジ軸９ａを挿通するための取付孔２ａが水平支柱２に設けられている。この取付孔２ａにネジ軸９ａを挿通して下方からナット１２で締め付けることにより、受け部材９が水平支柱２に対して着脱可能に取り付けられる。この際、ナット１２の座面と水平支柱２との間に断面コの字状のワッシャ１３を介在させて、このワッシャ１３の左右の立ち上がり部分を、隣接する縦支柱４の内面に接するようにしておくのがよい。これにより受け部材９の回動を抑制して受け部材９を安定して取り付けることができる。
【００２０】
また、縦支柱４下方の外面部分には、後述する既設コンクリート部Ｂやコンクリート型枠Ｃに足場用ブラケットＡを固定するためのボルト挿通用長孔１４が長さ方向に沿って複数設けられている。
【００２１】
図５は、本考案の足場用ブラケットＡを防砂ダムや堰堤等のかさ上げ工事に用いた場合の実施例を示すものである。
まず、既設コンクリート部Ｂの垂直な壁面並びに傾斜壁面に沿って、かさ上げすべきコンクリートを流し込むための領域Ｄを囲うコンクリート型枠Ｃ、Ｃを設置する。このコンクリート型枠Ｃ、Ｃの上部外面並びに既設コンクリート部Ｂの垂直な壁面並びに傾斜壁面のそれぞれに、足場用ブラケットＡが図１に示すフック１１やボルト挿通用長孔１４を介して横方向に一定間隔をあけて取り付けられる。この際、コンクリート型枠Ｃ、Ｃの上部外面に取り付けられる足場用ブラケットＡは、内側（コンクリート打設側）と外側の両方が開放されているため、内側手摺支持柱取付用の受け部材９並びに外側手摺支持柱取付用の受け部材１０の両方に手摺支持柱１５を取り付け、これら手摺支持柱１５に手摺１６を取り付けるとともに水平支柱２に足場板１を敷設して作業用足場を完成させる（図６参照）。これにより、作業用足場の内側と外側の両方に手摺１６が設けられて作業者の安全を確保することができる。
【００２２】
また、既設コンクリート部Ｂの壁面に取り付けられる足場用ブラケットＡは、内側に既設コンクリート部Ｂが壁として存在するため、内側手摺を省略して外側手摺のみを取り付ければよい。
すなわち、本考案に係る足場用ブラケットＡは、必要に応じて内側手摺支持柱取付用受け部材９を着脱することができる。さらに、既設コンクリート部Ｂに足場用ブラケットＡを取り付ける際に、フック１１が邪魔な場合はこれを取り外し、フック１１を取り付けてあったビス孔（図示略）を利用してアンカー等で既設コンクリート部Ｂに取り付けるようにすればよい。
【００２３】
また、足場用ブラケットＡは、ピン８と調整孔７による連結位置を変更することにより水平支柱２と縦支柱４との角度が調整できるので、既設コンクリート部Ｂの傾斜壁面に合わせて角度を調整することにより、足場板１の水平度を保った状態で足場用ブラケットＡを傾斜壁面に安定して取り付けることができる。
【００２４】
以上、本考案の代表的な実施例について説明したが、本考案は必ずしも上記の実施形態に特定されるものではない。例えば、上記実施例では、内側手摺支持柱取付用の受け部材９のみを水平支柱２に対して着脱可能に形成したが、同様の手段で外側手摺支持柱取付用の受け部材１０も水平支柱２に対して着脱可能となるように形成してもよい。
また、上記実施例では、開口部を有する筒体で受け部材９、１０を形成したが、これを凸状体で形成し、パイプ状の手摺支持柱１５の下端開口部を凸状体に嵌め込むようにして取り付けるようにしてもよい。
さらに、受け部材９の水平支柱２に対する取付手段は上記実施例のみに特定されるものではなく、着脱可能な手段であればどのような構成であってもよい。
その他本考案ではその目的を達成し、請求の範囲を逸脱しない範囲内で適宜修正、変更することが可能である。
【産業上の利用可能性】
【００２５】
本考案の足場用ブラケットは、防砂ダム、堰堤、防潮堤、擁壁等のコンクリート構造物施工時の作業用足場の架設に際して利用することができる。
【符号の説明】
【００２６】
Ａ  足場用ブラケット
Ｂ  既設コンクリート部
Ｃ  コンクリート型枠
１  足場板
２  水平支柱
２ａ  取付孔
３  枢軸
４  縦支柱
５  補強支柱
８  ピン
９  内側手摺支持柱取付用の受け部材
９ａ  ネジ軸
１０  外側手摺支持柱取付用の受け部材
１１  フック
１２  ナット
１５  手摺支持柱
１６  手摺
【図１】
0003205646.tif 000003
【図２】
0003205646.tif 000004
【図３】
0003205646.tif 000005
【図４】
0003205646.tif 000006
【図５】
0003205646.tif 000007
【図６】
0003205646.tif 000008
【図７】
0003205646.tif 000009